(57)【要約】【課題】切断線部を容易に認識でき、かつ、切断作業を容易に行える使い捨てパンツを提供すること。【解決手段】略環状に連なる前腹部２及び後背部と、前腹部２及び後背部間に連なって設けられる股部４とを備え、前腹部２に、略中央部の中前腹部２ｃとその左右の前腹部２ａ，２ｂとに破断するための切断線部１７ａ，１７ｂが設けられる。左右の前腹部２ａ，２ｂに中前腹部２ｃと左右の前腹部２ａ，２ｂとを連結するための付着片２２ａ，２２ｂが設けられている。付着片２２ａ，２２ｂは、前腹部２の内側に設けられており、切断線部１７ａ，１７ｂは外部に露出している。【選択図】図２
2006141843.tif 000002
【特許請求の範囲】
【請求項１】
略環状に連なる前腹部及び後背部と、
その前腹部及び後背部間に連なって設けられる股部と、
前記股部に設けられた吸収体と、を備え、
前記前腹部に、略中央部の中前腹部とその左右の前腹部とに破断するための切断線部が設けられると共に、
前記中前腹部又は前記左右の前腹部に前記中前腹部と前記左右の前腹部とを連結するための付着片が設けられ、
前記付着片は、前記切断線部を外部に露出させる態様で形成されている、使い捨てパンツ。
【請求項２】
請求項１記載の使い捨てパンツであって、
前記付着片は、前記中前腹部の内側又は前記左右の前腹部の内側に設けられている、使い捨てパンツ。
【請求項３】
請求項２記載の使い捨てパンツであって、
前記付着片の一方面側に、前記中前腹部側又は前記左右の前腹部側の部分に着脱自在に取付可能な付着部が設けられ、
前記付着部は、前記付着片の外周縁部よりも内側の領域に設けられている、使い捨てパンツ。
【請求項４】
請求項１記載の使い捨てパンツであって、
前記付着片は、前記中前腹部の外側又は前記左右の前腹部の外側に設けられると共に、前記切断線部を外部に露出させるように折曲げられている、使い捨てパンツ。
【請求項５】
請求項４記載の使い捨てパンツであって、
前記付着片の先端部を内側に折込む態様で、前記付着片が折曲げられている、使い捨てパンツ。
【発明の詳細な説明】
【技術分野】
【０００１】
本発明は、パンツやおむつ等として利用される使い捨てパンツに関する。
【背景技術】
【０００２】
この種の従来の使い捨てパンツとしては、特許文献１に記載の技術がある。この特許文献１に記載のパンツでは、前身頃の左右両側に切断線を設け、その切断線の部分で前身頃を切り離し可能とするとともに、前身頃及び後身頃の左右の接合部に付着片を設けている。そして、切断線により前身頃を切り離した際に、左右の付着片により前身頃と後身頃との締結を行うようになっている。
【０００３】
【特許文献１】特開平５−３１７３５６号公報
【発明の開示】
【発明が解決しようとする課題】
【０００４】
しかしながら、特許文献１記載のパンツでは、切断線が付着片で隠れた位置にある。このため、切断線の位置を認識し難く、また、切断する際に、付着片が邪魔になって切断作業の妨げとなるという問題があった。
【０００５】
そこで、本発明は、切断線部を容易に認識でき、かつ、切断作業を容易に行える使い捨てパンツを提供することを目的とする。
【課題を解決するための手段】
【０００６】
この発明に係る使い捨てパンツは、略環状に連なる前腹部及び後背部と、その前腹部及び後背部間に連なって設けられる股部と、前記股部に設けられた吸収体と、を備え、前記前腹部に、略中央部の中前腹部とその左右の前腹部とに破断するための切断線部が設けられると共に、前記中前腹部又は前記左右の前腹部に前記中前腹部と前記左右の前腹部とを連結するための付着片が設けられ、前記付着片は、前記切断線部を外部に露出させる態様で形成されているものである。
【０００７】
例えば、前記付着片は、前記中前腹部の内側又は前記左右の前腹部の内側に設けられているとよい。
【０００８】
この場合、前記付着片の一方面側に、前記中前腹部側又は前記左右の前腹部側の部分に着脱自在に取付可能な付着部が設けられ、前記付着部は、前記付着片の外周縁部よりも内側の領域に設けられているとよい。
【０００９】
また、例えば、前記付着片は、前記中前腹部の外側又は前記左右の前腹部の外側に設けられると共に、前記切断線部を外部に露出させるように折曲げられているとよい。
【００１０】
この場合、前記付着片の先端部を内側に折込む態様で、前記付着片が折曲げられているとよい。
【発明の効果】
【００１１】
この発明の使い捨てパンツによると、付着片は、前記切断線部を外部に露出させる態様で形成されているため、切断線部を外部から容易に認識できる。しかも、切断線部で切断する際に、付着片が邪魔になり難く、切断作業を容易に行える。
【００１２】
特に、付着片が、中前腹部の内側又は前記左右の前腹部の内側に設けられていると、切断線部をより確実に外部から容易に認識できる。しかも、切断線部で切断する際に、付着片がより確実に邪魔になり難く、切断作業を容易に行える。
【００１３】
また、付着部が、前記付着片の外周縁部よりも内側の領域に設けられていると、付着部の外周縁部と着用者の肌等との接触を有効に防止できる。
【００１４】
また、中前腹部の外側又は左右の前腹部の外側に設けられた付着片が、切断線部を外部に露出させるように折曲げられていると、切断線部を外部から容易に認識できる。しかも、切断線部で切断する際に、付着片が邪魔になり難く、切断作業を容易に行える。加えて、付着片を外部から認識し易いという利点もある。
【００１５】
この場合に、付着片の先端部を内側に折込む態様で、前記付着片が折曲げられていると、付着片の先端部がバラバラになり難い。
【発明を実施するための最良の形態】
【００１６】
以下、この発明に係る使い捨てパンツについて説明する。
【００１７】
この使い捨てパンツは、概略的には、破断可能な切断線部と破断された部分を連結するための付着片とを備えている。そして、破断前の状態で、前記切断線部を外部に露出させる態様で、付着片が形成されている。
【００１８】
以下、各実施形態において図面を参照してより具体的に説明する。
【００１９】
｛第１実施形態｝
＜概略説明＞
図１〜図８を参照して、本発明の第１実施形態に係る使い捨てパンツ１について説明する。この第１実施形態では、付着片２２ａ，２２ｂが切断線部１７ａ，１７ｂの内側に設けられた形態について説明する。この使い捨てパンツ１は、略環状に連なる前腹部２及び後背部３と、その前腹部２及び後背部３間に連なって設けられる股部４とを備えて構成され、パンツとしてもおむつとしても利用可能となっている。なお、この使い捨てパンツ１の説明において、左及び右とは着用者から見て左手側及び右手側を指すものとする。
【００２０】
前腹部２及び後背部３とは、この使い捨てパンツ１における主に着用者の前腹部及び後背部に面する部分を指す。前腹部２の左右の縁部と後背部３の左右の縁部とは互いに接合され、これによって前腹部２と後背部３とは略環状に連なっている。このため、使い捨てパンツ１の左右の縁部には、前腹部２の左右の縁部と後背部３の左右の縁部とを接合する左サイド接合部１１ａ及び右サイド接合部１１ｂが形成されている。このサイド接合部１１ａ，１１ｂでの接合は、接着剤、例えばホットメルト接着剤による接着と超音波溶着（あるいは、加熱溶着）とのいずれか一方、又はその両方の併用により行われる。
【００２１】
股部４とは、この使い捨てパンツ１における主に着用者の股部に面する部分を指し、その前股部４ａ及び後股部４ｂがそれぞれ前腹部２及び後背部３にそれぞれ連なっている。本実施形態では、股部４の前股部４ａ及び後股部４ｂが前腹部２及び後背部３に接着剤、例えばホットメルト接着剤により接合されている。なお、変形例として、股部４を前腹部２及び後背部３の一方又は両方と連続した部材により一体に形成してもよい。
【００２２】
このように略環状に連なった前腹部２及び後背部３の上縁部１２ａ，１２ｂ，１３によりウエスト開口部Ｑが形成されている。前腹部２の左前腹部２ａの下縁部１４ａ、後背部３の左斜め下の傾斜状の縁部１５ａ、及び股部４の左縁部１６ａにより左脚開口部Ｒａが形成されている。前腹部２の右前腹部２ｂの下縁部１４ｂ、後背部３の右斜め下の傾斜状の縁部１５ｂ、及び股部４の右縁部１６ｂにより右脚開口部Ｒｂが形成されている。
【００２３】
＜前腹部＞
前腹部２は、全体形状としては平面視略横長矩形状であり（図１参照）、左前腹部２ａ、右前腹部２ｂ、及びそれらの中間に位置する中前腹部２ｃを備えている。中前腹部２ｃは本発明の中間領域に相当している。左前腹部２ａと中前腹部２ｃとの間には、前腹部２を上下に縦断する左切断線部１７ａが形成され、右前腹部２ｂと中前腹部２ｃとの間には、前腹部２を上下に縦断する右切断線部１７ｂが形成されている。中前腹部２ｃには、股部４の前股部４ａとの接合部分１８が形成される（図５参照）。接合部分１８での接合は、接着剤、例えばホットメルト接着剤を用いて行われる。
【００２４】
左右の切断線部１７ａ，１７ｂは、前股部４ａの両側縁部よりも内側の位置に形成されている。ここでは、前股部４ａの両側縁部よりも内側に、付着片２２ａ，２２ｂが折畳まれた形態で取付けられており、この付着片２２ａ，２２ｂの内側縁部に沿うようにして左右の切断線部１７ａ，１７ｂが形成されている。切断線部１７ａ，１７ｂは、その周囲部分よりも弱化された線状の部分であり、例えば、前腹部２を線状に加熱することにより（例えばヒートシール）、或は、断続的に切断してミシン目状に加工することにより、或は、線状に超音波加工することにより（例えば超音波シール）形成されている。そして、この切断線部１７ａ，１７ｂを破断することにより、前腹部２を切断線部１７ａ，１７ｂの部分で切り離せるようになっている（図２〜図４参照）。これにより、前腹部２が、股部４が連なる部分で、略中央部の中前腹部２ｃと、その左右の前腹部２ａ，２ｂとに破断される。なお、切断線部１７ａ，１７ｂは、直線状に形成してもよいし、必要に応じて曲線状に形成してもよい。また、線状に弱化された部分を略平行に複数本形成することで、各切断線部１７ａ，１７ｂを形成してもよい。
【００２５】
左前腹部２ａ及び右前腹部２ｂの上縁部１２ａ，１２ｂには、ウエスト用弾性部材１９ａ，１９ｂが左右方向に伸張された状態で取り付けられている。左前腹部２ａ及び右前腹部２ｂの下縁部１４ａ，１４ｂには脚用弾性部材２０ａ，２０ｂが左右方向に伸張された状態で取り付けられている。左前腹部２ａ及び右前腹部２ｂの上縁部１２ａ，１２ｂと下縁部１４ａ，１４ｂとの間の部分には、ボディ用弾性部材２１ａ，２１ｂが左右方向に伸張された状態で取り付けられている。これらの弾性部材１９ａ，１９ｂ，２０ａ，２０ｂ，２１ａ，２１ｂの収縮・伸張により前腹部２（特に、左前腹部２ａ及び右前腹部２ｂ）が着用者の腹部に沿うように柔らかくフィットすることができる。
【００２６】
このような前腹部２は、肌面側の内層シート５７と、外側の外層シート５８との間に弾性部材１９ａ，１９ｂ，２０ａ，２０ｂ，２１ａ，２１ｂを挟み込んで構成されている（図１及び図５参照）。
【００２７】
左前腹部２ａ及び右前腹部２ｂの内面側であってその中前腹部２ｃ側の端部には、略シート状の左付着片２２ａ及び右付着片２２ｂが接着剤、例えばホットメルト接着剤により接合されている（図１〜図６参照）。
【００２８】
この付着片２２ａは、切断線部１７ａ，１７ｂで破断する前のパンツ形態では、左前腹部２ａ及び右前腹部２ｂの内面側に配設されている。また、付着片２２ａ，２２ｂのうち切断線部１７ａ，１７ｂを越えて延びる部分（ここでは、後述する張出し部２５，２６）は、その基端側に向けて折返されるように畳まれている（図１及び図５参照）。
【００２９】
切断線部１７ａ，１７ｂを破断しておむつ形態で使用する際には、付着片２２ａ，２２ｂは左前腹部２ａ及び右前腹部２ｂの端部から延出して、次述する付着部２３の外面に着脱自在に付着される（図７及び図８参照）。
【００３０】
中前腹部２ｃの外面側には、付着片２２ａ，２２ｂを付着させるための第１付着部として面状の付着部２３が設けられている。この付着部２３の横幅は、左右の切断線部１７ａ，１７ｂ間の間隔（すなわち、中前腹部２ｃの横寸法）以下に設定され、その縦幅は、付着片２２ａ，２２ｂの縦寸法とほぼ等しく設定されている。
【００３１】
付着片２２ａ，２２ｂは、略縦長帯状の本体部２４と、その本体部２４から上下に二股に分かれてその自由端側に向けて延設された２個の張出し部２５，２６とをそれぞれ有している。本体部２４の左右方向外方側端部は、接着剤６６、例えばホットメルト接着剤により、左前腹部２ａ及び右前腹部２ｂの内面側であって切断線部１７ａ，１７ｂ側の端部の手前側の部分に接合されている（図５参照）。
【００３２】
付着片２２ａ，２２ｂの各張出し部２５，２６の内面側（おむつ形態で付着部２３に面する側の一方面）には、付着部２７，２８がそれぞれ設けられている。ここで、付着片２２ａ，２２ｂの先端部である各張出し部２５，２６は折返されており、付着部２７，２８は前腹部２の外側に指向している。また、付着部２７，２８は、付着片２２ａ，２２ｂの外周縁部よりも内側の領域に設けられている。ここでは、付着部２７，２８は、各張出し部２５，２６よりも小さな略方形状に形成されている。そして、付着部２７，２８は、各張出し部２５，２６の一方面側にその外周縁部に重ならないような態様で取付けられている。上記付着片２２ａ，２２ｂは、付着部２７，２８を介して付着部２３に着脱自在に止着する。
【００３３】
また、この付着片２２ａ，２２ｂの内面のうち付着部２７，２８よりも基端側の部分（本体部２４の内面側の部分）も、付着部２９とされている。そして、付着片２２ａ，２２ｂの張出し部２５，２６の付着部２７，２８を上記付着部２３に止着した状態で、後述する付着部５０も付着片２２ａ，２２ｂの本体部２４の内面側の付着部２９に着脱自在に止着するようになっている（図７及び８参照）。
【００３４】
また、付着片２２ａ，２２ｂのうち前記付着部２７，２８が設けられた面とは反対側の他方面側（外面側）も付着部とされている。この付着部は、上記付着部２７，２８を着脱自在に取付可能な構成となっている。
【００３５】
そして、一方側の付着片２２ａ（又は２２ｂ）を、付着部２７，２８を介して付着部２３に止着した状態で、他方側の付着片２２ｂ（又は２２ａ）を該一方側の付着片２２ａ（又は２２ｂ）の上に重ね合せるようにして止着できるようになっている。
【００３６】
なお、付着片２２ａ，２２ｂの外面側の付着部の配設領域は、付着片２２ａ，２２ｂの他方面側の全体或は一部であっても構わないが、張出し部２５，２６の先端部を含むように配設した方が、付着片２２ａ，２２ｂ同士を重ね合わてしっかりと固定し易いという利点がある。
【００３７】
付着部２３，２９等の具体例としては、表面に微細なループ構造が密に形成された不織布、織布、編み物等を有するループ側部材が考えられる。また、付着部２７，２８，５０の具体例としては、そのループ側部材に着脱自在に係合する微細なフック構造が表面に密に形成されたフック側部材が考えられる。
【００３８】
さらに具体的には、付着部２３，２９等としては、例えば、面ファスナーのループ側部材として好適に用いられる不織布、織布等を表面に有するプラスチックフィルム複合材が用いられる。付着部２３，２９等としては、ループ側部材を別部材として中前腹部２ｃ又は付着片２２ａ，２２ｂに貼着する構成、或は、中前腹部２ｃの外面又は付着片２２ａ，２２ｂの外面や内面自体をループ側部材として機能させる構成であってもよい。そのためには、例えば、付着片２２ａ，２２ｂや中前腹部２ｃ自体の材料としてループ構造を持つものを選択したり、或は、付着片２２ａ，２２ｂや中前腹部２ｃの表面の所要部分を毛羽立たせるように表面処理したり、さらに、付着片２２ａ，２２ｂや中前腹部２ｃに毛を織込んでループ構造を持たせるように加工等すればよい。
【００３９】
付着部２７，２８，５０としては、面ファスナーのフック側部材として好適に用いられる表面に密に形成されたピンを有するプラスチックフィルムが用いられる。
【００４０】
また、付着部２３，２９等の他の具体例としては、粘着剤との繰り返し剥離性を有するように表面処理、例えばピーロイル加工されたプラスチックフィルム等が考えられ、その他の具体例としては、繰り返し利用可能な接着剤などが考えられる。
【００４１】
なお、前記の付着部２３，２９等と、付着部２７，２８，５０の前記具体例において、それらの構成を入替えてもよい。
【００４２】
また、本実施形態では、付着片２２ａ，２２ｂの各張出し部２５，２６の先端部は、付着片２２ａ，２２ｂをつまみやすくするために、つまみ部３１（図４参照）となっている。このつまみ部３１には、付着部２７，２８は設けられていない。
【００４３】
この前腹部２では、各切断線部１７ａ，１７ｂで破断すると、右前腹部２ｂが付着片２２ｂと一体となって右側に展開する。また、左前腹部２ａが付着片２２ａと一体となって左側に展開する。このとき、中前腹部２ｃは股部４と接合された状態に保たれ、前股部４ａの外側に残ることになる。
【００４４】
このため、この使い捨てパンツ１は、切断線部１７ａ，１７ｂを破断する前の状態（製品出荷時の状態）では、前腹部２と股部４とが接合部分１８によって固定されているため、パンツとして機能し、付着片２２ａ，２２ｂ等の開閉手段のない通常の使い捨てパンツと同様に容易に上げ下げできるようになっている（図１参照）。また、この状態では、仮に付着片２２ａ，２２ｂと付着部２３との係合が外れても、前腹部２と股部４とが別々になってしまうことがない。
【００４５】
また、この使い捨てパンツ１がパンツ状態で着用されている場合において、後述する吸収体４３が排泄物を吸収、保持した場合には、切断線部１７ａ，１７ｂを破断して展開して、パンツ１を着用者から容易に取り除くことができる。この場合、着用者の衣服を脱がさなくとも、パンツ１の取外しができる。
【００４６】
また、切断線部１７ａ，１７ｂを破断し、前腹部２を展開して、パンツ１の内部の汚染状況を確認した後、付着片２２ａ，２２ｂを展開して伸し、付着部２３に係合させて、パンツ１を元のパンツ状態に戻すことができる。また、このパンツ１と尿取りパット等の補助パットとを併用しているときにも、付着片２２ａ，２２ｂを着脱して補助パットの交換等を容易に行うことができる。
【００４７】
また、着用させる前に、パンツ１を図３に示す状態に展開しておいて着用者の臀部にあてがって、図３から図２、図１の順に閉じてゆくことにより、このパンツ１を通常の使い捨ておむつのように利用することもできる。この場合、着用者の衣服を脱がさなくとも、パンツ１の着用及び取り外しができる。
【００４８】
また、切断線部１７ａ，１７ｂを破断した状態で使用する際に、着用者の腰回り寸法が小さい場合には、両付着片２２ａ，２２ｂを重ね合せるようにして止着させることができる。すなわち、一方側の付着片２２ａ（又は２２ｂ）を、付着部２３に止着した状態で、他方側の付着片２２ｂ（２２ａ）を、該一方側の付着片２２ａ（又は２２ｂ）の上に重ね合せるようにして、付着部２３等に止着させることができる。
【００４９】
＜股部＞
股部４は、全体形状としては展開すると前後方向に延びる略帯状の形態を有し（図３及び図４参照）、前股部４ａ、後股部４ｂ、及びそれらの中間に位置する中股部４ｃを備え、主に中股部４ｃを中心として着用者の股間部にあてがわれる。前股部４ａは、中前腹部２ｃの内面側に重ね合わされた状態で接合部分１８によって中前腹部２ｃと接合されている（図１参照）。後股部４ｂは、後背部３の内面側に重ね合わされた状態で後背部３と接着固定されている（図３及び図４参照）。このような股部４の左縁部１６ａ及び右縁部１６ｂには、脚用弾性部材４０ａ，４０ｂが縁部１６ａ，１６ｂの延設方向に伸張された状態で取り付けられている。
【００５０】
股部４は、透液性のトップシート４１と不透液性のバックシート４２との間に、吸収体４３を挟み込んで構成されている（図３及び図６参照）。吸収体４３は、所定の横幅を有し、中股部４ｃを中心にして前後方向に帯状に広がっている。股部４の内面側における吸収体４３の左右両側には、股部４の延設方向に沿って延びる起立部４４ａ，４４ｂが設けられている。
【００５１】
例えば、トップシート４１は透液性の不織布等により構成され、バックシート４２は撥水性不織布等により構成される。また、吸収体４３は、例えば、粉砕したパルプ繊維やセルロース繊維等の親水性繊維集合層に粒状の高分子吸収体を混合した塊をティッシュペーパーなどの紙シート又は透液性不織布シート等の被覆シートで包み、所定形状に成形されたものである。
【００５２】
トップシート４１及びバックシート４２の吸収体４３と重ならない部分は、互いに対向する面同士が接着剤、例えばホットメルト接着剤によって互いに接合されている。より好ましくは、トップシート４１の横幅は、吸収体４３の肌面側を覆い、かつバックシート４２の横幅よりも若干狭く設定され、トップシート４１の吸収体４３を超えて前後左右に張り出した部分が、接着剤、例えばホットメルト接着剤によりバックシート４２と接合されている。バックシート４２におけるトップシート４１の左右両側に張り出した部分の肌面側には、起立部４４ａ，４４ｂを構成する左右のサイドシート４５ａ，４５ｂが接着剤、例えばホットメルト接着剤によって接合されている。
【００５３】
また、サイドシート４５ａ，４５ｂの前後方向の両端縁は、股部４の前後方向の両端縁に接着剤６０、例えばホットメルト接着剤により接合されている（図５参照）。サイドシート４５ａ，４５ｂの左右方向内方側縁部は、前後方向に伸びる弾性部材４６を包み込むようにして、封止部４７にて熱溶着（又は超音波溶着）等により固定されている。起立部４４ａ，４４ｂは、弾性部材４６の収縮力によりその左右方向内方側縁部が縮められ、これによって着用者の肌に押し付けられる方向に起立する。
【００５４】
また、本実施形態では、股部４における前腹部２及び後背部３の腰回り部３ａと重なる重複部分において、左右の縁部を傾斜辺４８ａ，４８ｂ，４９ａ，４９ｂとし、その横幅を前後方向の端縁側に向けて徐々に減少させている（図３参照）。
【００５５】
この傾斜辺４８ａ，４８ｂにより、使い捨てパンツ１を上げ下げする際に、前股部４ａが引っ掛かってめくれたり、折れ曲がったり、着用者の肌に影響を及ぼすのを防止し、スムーズに上げ下げすることができる。
【００５６】
また、通常、後背部３と股部４とが重なる領域については、後背部３の収縮力が弱まる傾向にあるが、前記傾斜辺４９ａ，４９ｂによるトリム領域を形成することにより、後背部３の伸縮部分の面積が後背部３の上側に向けて徐々に増えてゆき、これによって後背部３が着用者の後背部にフィットしやすくなる。
【００５７】
また、股部４の前腹部２側の端部の両側部には、付着部５０が設けられている（図２，図４参照）。この付着部５０は、付着片２２ａ，２２ｂの内面側の付着部２９と対向する位置に形成されている。そして、付着片２２ａ，２２ｂの付着部２７，２８を上記付着部２３に止着した状態で、付着部５０が付着片２２ａ，２２ｂ内面側の付着部２９に着脱自在に止着するようになっている（図８参照）。
【００５８】
なお、股部４の構成の変形例として、吸収体４３をシート４１，４２の間に挟み込むのではなく、吸収体４３をシート４２の肌面側に貼着し、シート４１を省略する構成としてもよい。あるいは、吸収体４３の前後の端部にシートを接合したものを股部４として用いるようにしてもよく、大型の吸収体４３を用いてその吸収体４３を股部４として用い、シート４１，４２を省略するようにしてもよい。
【００５９】
＜後背部＞
後背部３は、展開すると略矩形の左右下側の角を略斜めに切り落としたような形態を有し（図３及び図４参照）、着用者の背面側の腰回り部から臀部にかけた部分にあてがわれる。このため、この後背部３は、着用者の背面側の腰回り部に主に位置する平面視略横長帯状の腰回り部３ａと、その腰回り部３ａの下側に連なり着用者の臀部に主に位置する平面視略台形状の臀部３ｂとを備えている。腰回り部３ａの上縁部１３には、ウエスト用弾性部材５１が左右方向に伸張された状態で取り付けられており、腰回り部３ａのそれ以外の領域には、ボディ用弾性部材５２が左右方向に伸張された状態で取り付けられている。後背部３の左斜め下の傾斜状の縁部１５ａには、脚用弾性部材５３ａが縁部１５ａに沿って伸張された状態で取り付けられており、後背部３の右斜め下の傾斜状の縁部１５ｂには、脚用弾性部材５３ｂが縁部１５ｂに沿って伸張された状態で取り付けられている。これらの弾性部材５１，５２，５３ａ，５３ｂの収縮、伸張により後背部３が着用者の後背部及び臀部にフィットしやすくなっている。
【００６０】
特に、後背部３の臀部３ｂは、下側に向けて横幅が徐々に狭くなる構成とされているとともに、その左右の傾斜状の縁部１５ａ，１５ｂに脚用弾性部材５３ａ，５３ｂが設けられているため、脚用弾性部材５３ａ，５３ｂの収縮力により縁部１５ａ，１５ｂが縮められると、臀部３ｂが着用者の臀部にフィットしやすくなっている。
【００６１】
なお、脚用弾性部材５３ａ，５３ｂは、臀部３ｂの左右の傾斜状の縁部１５ａ，１５ｂ及び下縁部１５ｃに沿って連続的に臀部３ｂに取り付けられた後、少なくとも股部４の吸収体４３と重なる部分５４（図４参照）について、弱化処理が施されている。弱化処理とは、その部分５４の弾性部材を切断したり、収縮力を弱める処理を行う等により、ノーテンション状態とすることである。これによって、脚用弾性部材５３ａ，５３ｂの収縮力によって吸収体４３に不所望な歪み等が生じ、その吸収機能が低下するのが防止される。
【００６２】
＜その他の構成及び各部の材料等＞
なお、前腹部２に設ける左右の弾性部材１９ａ，１９ｂ、弾性部材２０ａ，２０ｂ及び弾性部材２１ａ，２１ｂについては、前記脚用弾性部材５３ａ，５３ｂの場合と同様に、弾性部材２０ａ，２０ｂ，２１ａ，２１ｂを中前腹部２ｃを介して左右方向に連続的に前腹部２に設けた後、弾性部材２０ａ，２０ｂ，２１ａ，２１ｂの中前腹部２ｃに位置する部分について、弱化処理を施すのが好ましい。
【００６３】
また、付着片２２ａ，２２ｂの材料構成としては、不織布、織布、編布、プラスチップ材から適宜選択できる。中でも、スパンボンド法、エアースルー法、ポイントボンド法、メルトブロー法及びエアレイド法のうちの１つ又は複数の製法の組み合わせによって製造される不織布が好ましい。さらに、目付３０〜１００ｇ／ｍ2で、スパンボンド法若しくは、スパンボンド法とメルトブロー法とを組み合わせたＳＭＳ法により製造された不織布が強度の点から好ましい。最も好ましいのは、目付５０〜８５ｇ／ｍ2でスパンボンド法により製造された不織布である。材質としては、ポリプロピレン、ポリエチレン、ポリエステル、ポリアミド等の合成繊維、パルプ、絹等の天然繊維から適宜選択できるが、好ましくはポリプロピレン、ポリエチレン、ポリエステルといった合成繊維が利用でき、中でもポリプロピレン、ポリエステル繊維を主成分とするものは強度があり、好適である。最も好ましいのは、ポリエステル繊維である。
【００６４】
また、弾性部材１９ａ，１９ｂ，２０ａ，２０ｂ，２１ａ，２１ｂ，４０ａ，４０ｂ，４６，５３ａ，５３ｂとしては、通常使い捨てパンツに用いられる弾性伸縮材料（ポリウレタン糸、ポリウレタンフィルム、天然ゴム等）が用いられ、伸張状態でホットメルト接着剤、熱溶着、超音波溶着などの貼着手段によりパンツ１の所定部位に貼着される。
【００６５】
この使い捨てパンツでは、付着片２２ａ，２２ｂは、前腹部２の内側に設けられている。このため、付着片２２ａ，２２ｂが邪魔にならず、切断線部１７ａ，１７ｂを外部から容易に認識できる。しかも、切断線部１７ａ，１７ｂで切断する際に、付着片２２ａ，２２ｂが切断作業の邪魔になり難い。このため、切断作業を容易に行うことができる。
【００６６】
しかも、付着片２２ａ，２２ｂのうち切断線部１７ａ，１７ｂを超えて延びる張出し部２５，２６は、その基端側に向けて折返されるように畳まれている。このため、切断線部１７ａ，１７ｂは、付着片２２ａ，２２ｂを横切らないように延びている。よって、切断線部１７ａ，１７ｂで切断する際に、付着片２２ａ，２２ｂがより確実に切断作業の邪魔になり難く、切断作業を容易に行うことができる。
【００６７】
また、付着片２２ａ，２２ｂの一方面側に設けられた付着部２７，２８は、付着片２２ａ，２２ｂの外周縁部よりも内側の領域に設けられているため、付着部の外周縁部と着用者の肌等との接触を有効に防止できる。
【００６８】
すなわち、付着片２２ａ，２２ｂは、前腹部２の内側に設けられているため、前股部４ａの両側縁部が捲れた場合や、或は、前股部４ａの幅が小さく設定されたような場合には、付着片２２ａ，２２ｂが直接着用者の肌に触れるような場合もあり得る。ここで、付着片２２ａ，２２ｂの張出し部２５，２６を折返し状に畳んでいるから、基本的には、付着部２７，２８の主面は着用者の肌には直接触れない。
【００６９】
ところが、仮に、付着部２７，２８が張出し部２５，２６の外周縁部に達する形状であると、張出し部２５，２６の外周縁部で付着部２７，２８の外周縁部が人の肌に触れ、痒み等の不快感を与え得る。そこで、上記のように、付着部２７，２８を付着片２２ａ，２２ｂの外周縁部よりも内側の領域に設けることで、付着片２２ａ，２２ｂの外周縁部において、付着部２７，２８の外周縁部と着用者の肌等との接触を有効に防止し、もって、着用の快適性に資することができる。
【００７０】
｛第２実施形態｝
図９〜図１４を参照して、本発明の第２実施形態に係る使い捨てパンツについて説明する。この第２実施形態では、付着片１２２ａ，１２２ｂを折曲げて切断線部１１７ａ，１１７ｂを外部に露出させるようにした形態について説明する。なお、本第２実施形態の説明において、第１実施形態で説明したものと同様構成要素については、同一符号を付してその説明を省略する。
【００７１】
この第２実施形態に係る使い捨てパンツ１０１では、第１実施形態のように、付着片２２ａ，２２ｂを前腹部２の内側に設ける構成に換えて、付着片１２２ａ，１２２ｂを前腹部２の外側に設けると共に、その途中を折曲げている。
【００７２】
より具体的には、付着片１２２ａ，１２２ｂは、上記付着片２２ａ，２２ｂと同様構成とされ、略縦長帯状の本体部１２４と、その本体部１２４から上下に二股に分かれてその自由端側に向けて延設された２個の張出し部１２５，１２６とをそれぞれ有している。
【００７３】
本体部２４の左右方向外方側端部は、接着剤１６６、例えばホットメルト接着剤により、左前腹部２ａ及び右前腹部２ｂの外面側であって切断線部１７ａ，１７ｂ側の端部の手前側の部分に接合されている（図１３参照）。
【００７４】
また、付着片１２２ａ，１２２ｂのうち切断線部１７ａ，１７ｂを越えて延びる部分（ここでは、張出し部１２５，１２６）は、該切断線部１７ａ，１７ｂよりも手前側のラインに沿って、その基端側に向けて折返されるように畳まれている（図１及び図５参照）。これにより、前腹部２の前方から見て、切断線部１７ａ，１７ｂが付着片１２２ａ，１２２ｂで隠れることなる視認可能となっている。
【００７５】
特に、付着片１２２ａ，１２２ｂの先端部である張出し部１２５，１２６を内側に折込む態様で、付着片１２２ａ，１２２ｂが折曲げられている。より具体的には、張出し部１２５，１２６が、付着片１２２ａ，１２２ｂの基端側部分と前腹部２間に挟まれる位置に折込まれている。
【００７６】
なお、この状態で、付着片１２２ａ，１２２ｂのうち折込まれた部分である張出し部１２５，１２６が前腹部２に仮止されていてもよい。仮止の手段としては、熱溶着や超音波溶着、接着剤（例えば、ホットメルト接着剤）等による場合が考えられ、これらの手段により付着片１２２ａ，１２２ｂと前腹部２とが引き剥がし可能な強度で接着される。
【００７７】
また、付着片１２２ａ，１２２ｂの各張出し部１２５，１２６の内面側（おむつ形態で付着部２３に面する側の一方面）には、付着部１２７，１２８がそれぞれ設けられている。ここで、上述した形態で各張出し部１２５，１２６が折返されているから、付着部１２７，１２８は、前腹部２の外側に指向し本体部１２４の内面に接した状態となっている（図１３参照）。なお、付着部１２７，１２８は、前腹部２の外周側にあり、着用者の肌に触れない構成となっている。このため、第１実施形態における付着部２７，２８のように、付着部１２７，１２８が付着片１２２ａ，１２２ｂの外周縁部よりも内側の領域に配設されている必要はない。
【００７８】
なお、この使い捨てパンツ１０１では、付着部２９，５０は省略されている。
【００７９】
この使い捨てパンツ１０１がパンツ形態として使用される場合には、切断線部１７ａ，１７ｂは破断されず、かつ、付着片１２２ａ，１２２ｂの張出し部１２５，１２６は折込まれたままの形態、即ち、出荷段階のままの形態とされる。
【００８０】
一方、使い捨てパンツ１０１がおむつ形態として使用される場合には、まず、切断線部１７ａが破断される。この際、切断線部１７ａ，１７ｂは付着片１２２ａ，１２２ｂで隠れることなく外部に露出しているので、この切断線部１７ａ，１７ｂを目視で認識しつつ、破断作業を行うことができる。そして、付着片１２２ａ，１２２ｂの先端部の張出し部１２５，１２６を引出して、左右の前腹部２ａ，２ｂの内側端部から延出した状態とする（図１１及び図１２参照）。着用状態では、付着片２２ａ，２２ｂの張出し部２５，２６の付着部２７，２８が上記付着部２３に止着される（図１４参照）。
【００８１】
この使い捨てパンツ１０１では、付着片１２２ａ，１２２ｂは、付着片１２２ａ，１２２ｂが、切断線部１７ａ，１７ｂを外部に露出させるように折曲げられているため、切断線部１７ａ，１７ｂを外部から容易に認識できる。しかも、切断線部１７ａ，１７ｂで切断する際に、付着片１２２ａ，１２２ｂが邪魔になり難く、切断作業を容易に行える。加えて、付着片１２２ａ，１２２ｂを外部から認識し易く、付着片１２２ａ，１２２ｂを用いた連結作業等を容易に行えるという利点もある。
【００８２】
さらに、付着片１２２ａ，１２２ｂの先端部の張出し部１２５，１２６を内側に折込む態様で付着片１２２ａ，１２２ｂが折曲げられているため、例えば、出荷運搬段階やパンツ形態で使用している場合等に、付着片１２２ａ，１２２ｂの先端部がバラバラになり難い。
【００８３】
｛変形例｝
なお、上記各実施形態では、付着片２２ａ，２２ｂ，１２２ａ，１２２ｂが左右の前腹部２ａ，２ｂに設けられた例について説明したが、中前腹部２ｃに設けられていてもよい。
【００８４】
また、上記切断線部１７ａ，１７ｂに、地色とは異なる色が着けられていてもよい。例えば、前腹部２が白色の部材により形成されている場合には、切断線部１７ａ，１７ｂに薄水色の着色が付されていてもよい。
【００８５】
この場合、切断線部１７ａ，１７ｂを比較的容易に認識でき、従って、切断線部１７ａ，１７ｂでの切断作業をより容易に行える。
【図面の簡単な説明】
【００８６】
【図１】本発明の第１実施形態に係る使い捨てパンツの正面図である。
【図２】図１の使い捨てパンツの右切断線部を破断して右前腹部を展開した状態を示す図である。
【図３】図１の使い捨てパンツの股部を展開した状態を示す図である。
【図４】図３の使い捨てパンツを図３の反対側から見た図である。
【図５】切断線部を示す要部拡大図である。
【図６】図１の使い捨てパンツのＣ１−Ｃ１線に沿った部分の断面図である。
【図７】図３の使い捨てパンツのＣ２−Ｃ２線に沿った部分の断面図である。
【図８】左右の付着片を中前腹部に止着した状態を示す図である。
【図９】本発明の第２実施形態に係る使い捨てパンツの正面図である。
【図１０】図９の使い捨てパンツの右切断線部を破断して右前腹部を展開した状態を示す図である。
【図１１】図９の使い捨てパンツの股部を展開した状態を示す図である。
【図１２】図１１の使い捨てパンツを図１１の反対側から見た図である。
【図１３】図１の使い捨てパンツのＣ３−Ｃ３線に沿った部分の断面図である。
【図１４】左右の付着片を中前腹部に止着した状態を示す図である。
【符号の説明】
【００８７】
１，１０１  使い捨てパンツ、２  前腹部、２ａ，２ｂ  左右の前腹部、２ｃ  中前腹部、３  後背部、４  股部、１７ａ，１７ｂ  切断線部、２２ａ，２２ｂ，１２２ａ，１２２ｂ    付着片、２４，１２４  本体部、２５，２６，１２５，１２６  張出し部、２３，２７，２８，１２７，１２８  付着部
【図１】
2006141843.tif 000003
【図２】
2006141843.tif 000004
【図３】
2006141843.tif 000005
【図４】
2006141843.tif 000006
【図５】
2006141843.tif 000007
【図６】
2006141843.tif 000008
【図７】
2006141843.tif 000009
【図８】
2006141843.tif 000010
【図９】
2006141843.tif 000011
【図１０】
2006141843.tif 000012
【図１１】
2006141843.tif 000013
【図１２】
2006141843.tif 000014
【図１３】
2006141843.tif 000015
【図１４】
2006141843.tif 000016